(57)【要約】【課題】コスト削減、情報処理の高信頼性確保、および起動時の処理負担軽減を図ることが可能な光ディスク装置を提供する。【解決手段】複数種類の光ディスク４１、４２に対応させて光ディスク４１、４２の径方向Ｒへ並ぶように、ディスクモータ７、８と光ピックアップ１、２とをそれぞれ複数設ける。また、光ピックアップ１、２の一端部を移動可能に支持するガイドシャフト４と、光ピックアップ１、２の他端部を移動可能に支持するリードスクリュー５と、リードスクリュー５を回転させて、光ピックアップ１、２をガイドシャフト４とリードスクリュー５に沿って径方向Ｒへ往復移動させるトラバースモータ６とにより、トラバース機構３を構成する。さらに、ガイドシャフト４とリードスクリュー５のチルトと高さを調整するシャフト調整機構１１〜１４と、ディスクモータ７のチルトと高さを調整するモータ調整機構１５とを設ける。【選択図】図１
2009004052.tif 000002
【特許請求の範囲】
【請求項１】
ディスクモータにより光ディスクを回転させて、トラバース機構により光ピックアップを光ディスクの径方向へ移送させながら、光ピックアップにより光ディスクに対して情報の記録および／または再生を行う光ディスク装置において、
前記ディスクモータおよび前記光ピックアップを、複数種類の光ディスクに対応させて光ディスクの径方向へ並ぶように複数設け、
前記トラバース機構を、前記各光ピックアップの一方の端部を移動可能に支持する１本のガイドシャフトと、前記各光ピックアップの他方の端部を移動可能に支持する１本のリードスクリューと、前記リードスクリューを回転させて、前記各光ピックアップを前記ガイドシャフトおよび前記リードスクリューに沿って光ディスクの径方向へ往復移動させる１つのトラバースモータとから構成し、
前記ガイドシャフトおよび前記リードスクリューのチルトと高さを調整する第１の調整機構と、
前記ディスクモータのチルトと高さを調整する第２の調整機構と、を設けたことを特徴とする光ディスク装置。
【請求項２】
請求項１に記載の光ディスク装置において、
前記ディスクモータの中心位置を光ディスクと平行な面内で調整する第３の調整機構を設けたことを特徴とする光ディスク装置。
【請求項３】
ディスクモータにより光ディスクを回転させて、トラバース機構により光ピックアップを光ディスクの径方向へ移送させながら、光ピックアップにより光ディスクに対して情報の記録および／または再生を行う光ディスク装置の製造方法において、
前記ディスクモータおよび前記光ピックアップを、複数種類の光ディスクに対応させて光ディスクの径方向へ並ぶように複数設け、
前記トラバース機構を、前記各光ピックアップの一方の端部を移動可能に支持する１本のガイドシャフトと、前記各光ピックアップの他方の端部を移動可能に支持する１本のリードスクリューと、前記リードスクリューを回転させて、前記各光ピックアップを前記ガイドシャフトおよび前記リードスクリューに沿って光ディスクの径方向へ往復移動させる１つのトラバースモータとから構成し、
前記ガイドシャフトおよび前記リードスクリューのチルトと高さを調整する第１の調整機構と、前記ディスクモータのチルトと高さを調整する第２の調整機構とを設け、
前記ガイドシャフトおよび前記リードスクリューの光ディスクに対するチルトと高さを前記第１の調整機構により調整した後、ある１つの前記ディスクモータを除いた他の前記ディスクモータの前記光ピックアップに対するチルトと高さを前記第２の調整機構により調整することを特徴とする光ディスク装置の製造方法。
【請求項４】
請求項３に記載の光ディスク装置の製造方法において、
前記ディスクモータの中心位置を光ディスクと平行な面内で調整する第３の調整機構を設け、
前記１つのディスクモータの前記光ピックアップに対する前記中心位置を前記第３の調整機構により調整してから、前記ガイドシャフトおよび前記リードスクリューの前記チルトと高さを前記第１の調整機構により調整し、この後、前記他のディスクモータの前記光ピックアップに対する前記中心位置を前記第３の調整機構により調整してから、該他のディスクモータの前記チルトと高さを前記第２の調整機構により調整することを特徴とする光ディスク装置の製造方法。
【請求項５】
請求項４に記載の光ディスク装置の製造方法において、
前記光ピックアップから光ディスクに対してレーザビームを発射して、光ディスクで反射した光を前記光ピックアップにより受光し、該光ピックアップから出力される信号より、トラッキングエラー信号を検出するためのサブビームの位相差と、再生信号のジッターとを検出し、
前記サブビームの位相差に基づいて、前記第３の調整機構による前記ディスクモータの前記中心位置の調整を行い、
前記再生信号のジッターに基づいて、前記第１の調整機構による前記ガイドシャフトおよび前記リードスクリューの前記チルトと高さの調整と、前記第２の調整機構による前記他のディスクモータの前記チルトと高さの調整とを行うことを特徴とする光ディスク装置の製造方法。
【発明の詳細な説明】
【技術分野】
【０００１】
本発明は、複数種類の光ディスクに対応した光ピックアップをトラバース機構により移送する光ディスク装置と、該光ディスク装置の製造段階での調整に関するものである。
【背景技術】
【０００２】
一般に光ディスク装置は、ディスクモータにより光ディスクを回転させて、トラバース機構により光ピックアップを光ディスクの径方向へ移送させながら、光ピックアップにより光ディスクに対して情報の記録や再生を行う。
【０００３】
従来の光ディスク装置には、コストを削減するため、下記の特許文献１に開示されているように、ディスクモータを１つ設け、光ピックアップとトラバース機構を複数種類の光ディスクに対応させて２つずつ設けたものがある。また、下記の特許文献２〜５に開示されているように、ディスクモータを複数種類のディスクに対応させて２つ設け、光ピックアップとトラバース機構を１つずつ設けたものがある。
【０００４】
また、従来の光ディスク装置には、情報の記録や再生の処理の高信頼性を確保するため、特許文献２に開示されているように、トラバース機構に含まれるシャフトの端部にシャフトと該シャフトに支持された光ピックアップのディスクに対するチルトと高さを調整する機構と、一方のディスクモータの他方のディスクモータに対する相対的な高さとチルトを調整する機構を設けたものがある。また、特許文献３に開示されているように、シャフトの端部にシャフトと光ピックアップを２つのターンテーブルの中心を結ぶラインと平行に回動させる機構を設けたものがある。さらに、特許文献４に開示されているように、光ピックアップにより検出したフォーカスバランスを補正して、２つのターンテーブル間の高さのばらつきを調整するものがある。
【０００５】
【特許文献１】特開２００６−９９８１８号公報
【特許文献２】特開２００６−７３１３６号公報
【特許文献３】実開昭６４−３５５１６号公報
【特許文献４】特開平１０−６４２０４号公報
【特許文献５】特開平６−２０３５２９号公報
【発明の開示】
【発明が解決しようとする課題】
【０００６】
特許文献１のように複数のトラバース機構を設ける場合、該機構の部品点数が多くなり、装置のコストが高くなってしまう。また、特許文献２〜５のように取り扱う全種類の光ディスクに対応した１つの光ピックアップを設ける場合、該光ピックアップの設計、開発、および製造が困難になり、装置のコストが高くなってしまう。また、特許文献３に開示された機構は、各ターンテーブルに対してグレーティング調整を行うものであり、光ディスクに対する情報処理の高信頼性を確保することができない。さらに、特許文献４に開示された技術では、装置の起動時にフォーカスバランスを補正しなければならず、信号の処理に負担がかかってしまう。
【０００７】
本発明は、上述した問題点を解決するものであって、その課題とするところは、コスト削減、情報処理の高信頼性確保、および起動時の処理負担軽減を図ることが可能な光ディスク装置を提供することにある。
【課題を解決するための手段】
【０００８】
本発明では、ディスクモータにより光ディスクを回転させて、トラバース機構により光ピックアップを光ディスクの径方向へ移送させながら、光ピックアップにより光ディスクに対して情報の記録および／または再生を行う光ディスク装置において、ディスクモータおよび光ピックアップを、複数種類の光ディスクに対応させて光ディスクの径方向へ並ぶように複数設ける。また、トラバース機構を、各光ピックアップの一方の端部を移動可能に支持する１本のガイドシャフトと、各光ピックアップの他方の端部を移動可能に支持する１本のリードスクリューと、リードスクリューを回転させて、各光ピックアップをガイドシャフトおよびリードスクリューに沿って光ディスクの径方向へ往復移動させる１つのトラバースモータとから構成する。さらに、ガイドシャフトおよびリードスクリューのチルトと高さを調整する第１の調整機構と、ディスクモータのチルトと高さを調整する第２の調整機構とを設ける。
【０００９】
このようにすると、取り扱う全種類の光ディスクに対応した１つの光ピックアップを新たに設計、開発、および製造する必要がなく、各光ディスクに対応した既存の複数の光ピックアップを用いることができる。また、部品点数が少ない１つのトラバース機構により複数の光ピックアップを各光ディスクの径方向へ往復移送することができる。また、光ディスク装置の製造段階で、第１の調整機構によりガイドシャフトとリードスクリューのチルトと高さ、即ちガイドシャフトとリードスクリューに支持された光ピックアップと光ディスクとのチルトと高さ方向の距離を調整し、第２の調整機構によりディスクモータのチルトと高さ、即ちディスクモータと光ピックアップとのチルトと高さ方向の距離を調整することができる。さらに、第１の調整機構によりある１つのディスクモータと光ピックアップとのチルトと高さ方向の距離を調整することができるので、第２の調整機構としては、他のディスクモータのチルトと高さを調整するための調整機構を設ければよく、該１つのディスクモータのチルトと高さを調整するためだけの調整機構を省略することができる。このため、光ディスク装置において、コスト削減、光ディスクに対する情報の記録や再生の処理の高信頼性確保、および起動時の信号処理の負担軽減を同時に図ることが可能となる。
【００１０】
また、本発明では、上記光ディスク装置において、さらに、ディスクモータの中心位置を光ディスクと平行な面内で調整する第３の調整機構を設ける。
【００１１】
このようにすると、第３の調整機構によりディスクモータの中心、即ちディスクモータにより回転させる光ディスクの回転中心と、光ピックアップに備わる対物レンズの光軸中心とを、光ディスクの径方向へ並ぶように位置合わせすることができる。このため、光ディスクに対する情報の記録や再生の処理のより高い信頼性を確保することが可能となる。
【００１２】
また、本発明に係る上記光ディスク装置の製造方法では、ガイドシャフトおよびリードスクリューの光ディスクに対するチルトと高さを第１の調整機構により調整した後、ある１つのディスクモータを除いた他のディスクモータの光ピックアップに対するチルトと高さを第２の調整機構により調整する。
【００１３】
このようにすると、１つのディスクモータおよび該モータで回転させる光ディスクと光ピックアップとのチルトと高さ方向の距離を確実に調整してから、他のディスクモータおよび該モータで回転させる光ディスクと光ピックアップとのチルトと高さ方向の距離を確実に調整することができる。このため、光ディスクに対する情報の記録や再生の処理のより高い信頼性を確保することが可能となる。
【００１４】
また、本発明では、上記光ディスク装置の製造方法において、１つのディスクモータの光ピックアップに対する中心位置を第３の調整機構により調整してから、ガイドシャフトおよびリードスクリューの光ディスクに対するチルトと高さを第１の調整機構により調整し、この後、他のディスクモータの光ピックアップに対する中心位置を第３の調整機構により調整してから、該他のディスクモータの光ピックアップに対するチルトと高さを第２の調整機構により調整する。
【００１５】
このようにすると、１つのディスクモータの中心および該モータで回転させる光ディスクの回転中心と、光ピックアップの対物レンズの光軸中心とを光ディスクの径方向へ並ぶように位置合わせしてから、１つのディスクモータおよび該モータで回転させる光ディスクと光ピックアップとのチルトと高さ方向の距離を調整することができる。またこの後、他のディスクモータの中心および該モータで回転させる光ディスクの回転中心と、光ピックアップの対物レンズの光軸中心とを光ディスクの径方向へ並ぶように位置合わせしてから、他のディスクモータおよび該モータで回転させる光ディスクと光ピックアップとのチルトと高さ方向の距離を調整することができる。このため、光ディスクに対する情報の記録や再生の処理のより高い信頼性を確保することが可能となる。
【００１６】
さらに、本発明では、上記光ディスク装置の製造方法において、光ピックアップから光ディスクに対してレーザビームを発射して、光ディスクで反射した光を前記光ピックアップにより受光し、該光ピックアップから出力される信号より、トラッキングエラー信号を検出するためのサブビームの位相差と、再生信号のジッターとを検出する。そして、サブビームの位相差に基づいて、第３の調整機構によるディスクモータの中心位置の調整を行う。また、再生信号のジッターに基づいて、第１の調整機構によるガイドシャフトおよびリードスクリューのチルトと高さの調整と、第２の調整機構による他のディスクモータのチルトと高さの調整とを行う。
【００１７】
このようにすると、各ディスクモータの中心および各光ディスクの回転中心と、光ピックアップの対物レンズの光軸中心との光ディスクの径方向に並ぶ位置合わせと、各ディスクモータおよび各光ディスクと各光ピックアップとのチルトと高さ方向の距離の調整とを有効に行うことができる。このため、光ディスクに対する情報の記録や再生の処理のより一層高い信頼性を確保することが可能となる。
【発明の効果】
【００１８】
本発明によれば、光ディスク装置において、コスト削減、情報処理の高信頼性確保、および起動時の信号処理の負担軽減を同時に図ることが可能となる。
【発明を実施するための最良の形態】
【００１９】
図１は、本発明の実施形態に係る光ディスク装置１０の要部の上方斜視図である。図２は、光ディスク装置１０の要部の側面図である。光ディスク装置１０は、記録密度が高い光ディスク４１と、該光ディスク４１より記録密度が低い光ディスク４２とを取り扱う。光ディスク４１は、ＢＤ（Blu-ray  Disc；登録商標）またはＨＤ ＤＶＤ（High-Definition  Digital  Versatile  Disc）から成る。光ディスク４２は、ＤＶＤ（Digital  Versatile  Disc）またはＣＤ（Compact  Disc）から成る。光ディスク４１、４２はトレイ９上に載置される。トレイ９は、図示しない搬送機構により矢印で示すように移動して、載置された光ディスク４１、４２をディスクモータ７、８上（二点鎖線で示す位置）と、光ディスク装置１０の図示しない本体から突出する出し入れ位置（上方に破線で示す位置）とへ搬送する。トレイ９は１つしか設けられていないので、光ディスク装置１０で一度に取り扱えるのは光ディスク４１、４２のいずれか１枚だけである。なお、図１では図示の便宜上、出し入れ位置にあるトレイ９および光ディスク４１、４２を他の各部より縮小して示している。
【００２０】
２つのディスクモータ７、８はそれぞれ、光ディスク４１、４２に対応させて光ディスク４１、４２の径方向Ｒへ並ぶように設けられている。ディスクモータ７、８間には、２つの光ピックアップ１、２が光ディスク４１、４２に対応させて光ディスク４１、４２の径方向Ｒへ並ぶように設けられている。光ピックアップ１は、ＢＤまたはＨＤ ＤＶＤに対して記録および／または再生を行えるものである。光ピックアップ２は、ＤＶＤまたはＣＤに対して記録および／または再生を行えるものである。光ピックアップ１、２は、１つのトラバース機構３により光ディスク４１、４２の径方向Ｒへ移送される。
【００２１】
トラバース機構３は、１本のガイドシャフト４と１本のリードスクリュー５と１つのトラバースモータ６とから成る。ガイドシャフト４とリードスクリュー５は、間にディスクモータ７、８を介在させるように所定の間隔をおいて、光ディスク４１、４２の径方向Ｒと平行に設けられている。ガイドシャフト４は、光ピックアップ１、２の一方の端部を移動可能に支持している。リードスクリュー５は、光ピックアップ１、２の他方の端部を移動可能に支持している。光ピックアップ１、２の他方の端部に設けられた図示しない爪は、リードスクリュー５の螺旋溝に係合されている。光ピックアップ１、２に備わる対物レンズ１Ｌ、２Ｌの光軸中心１ｍ、２ｍは、光ディスク４１、４２の径方向Ｒへ並んでいる。ガイドシャフト４は、両端部にあるシャフト調整機構１１、１３を介して、図２に示すようにシャーシ２０上に取り付けられている。リードスクリュー５は、図１に示すように両端部にあるシャフト調整機構１２、１４を介してシャーシ２０上に取り付けられている。トラバースモータ６は、リードスクリュー５を回転させて、光ピックアップ１、２をガイドシャフト４とリードスクリュー５に沿って光ディスク４１、４２の径方向Ｒへ往復移動させる。
【００２２】
シャフト調整機構１１〜１４は、ガイドシャフト４およびリードスクリュー５のチルトと高さを調整するものであり、本発明における第１の調整機構の一実施形態を構成する。図３は、シャフト調整機構１１〜１４の一例を示す側面図である。シャフト調整機構１１〜１４の支持台２２は、シャーシ２０上に固定されていて、ガイドシャフト４またはリードスクリュー５の端部を上下方向へ移動可能でかつ光ディスク４１、４２の径方向Ｒと接線方向Ｔへ動かないように支持している。また、シャフト調整機構１２、１４の支持台２２は、リードスクリュー５の端部を軸回りに回転可能に支持している。ばね２３は、両端部をそれぞれシャーシ２０とガイドシャフト４またはリードスクリュー５に引っ掛けられていて、ガイドシャフト４またはリードスクリュー５をシャーシ２０に引き付けるような弾性力を発している。ねじ２４は、シャーシ２０に形成されたねじ穴２０ａに螺合されて、シャーシ２０を貫通していて、先端でガイドシャフト４またはリードスクリュー５を下方から支持している。ばね２５は、ねじ２４の頭部とシャーシ２０の間のねじ２４の周囲に設けられていて、ねじ２４の頭部をシャーシ２０から引き離すような弾性力を発している。
【００２３】
各シャフト調整機構１１〜１４のねじ２４をドライバ等で締めたり緩めたりすることで、ねじ２４の先端のシャーシ２０上からの突出量が変化し、ガイドシャフト４またはリードスクリュー５の端部が上下に移動して、ガイドシャフト４またはリードスクリュー５の光ディスク４１、４２に対するチルトと高さを調整することができる。そしてこれにより、光ピックアップ１、２と光ディスク４１、４２とのチルトと高さ方向の距離を調整することができる。
【００２４】
ディスクモータ７、８は、図２に示すようにモータ調整機構１５、１６を介してシャーシ２０上に取り付けられている。ディスクモータ７、８の設置間隔は、光ディスク４１、４２の半径を足し合わせた長さより狭くなっている。これにより、光ディスク装置１０の小型化を図ることができる。ディスクモータ７、８の回転軸７ａ、８ａの上端には、ターンテーブル１７が連結されている。ターンテーブル１７の上方に示すクランパ１８は、図示しない上フレームに取り付けられている。ターンテーブル１７とクランパ１８は磁力によって吸着する。
【００２５】
シャーシ２０は、図示しない回動機構により軸２１を中心に回動する。シャーシ２０が二点鎖線で示す位置から実線で示す位置まで回動することで、ターンテーブル１７がクランパ１８に近づいて行って、ディスクモータ７、８上に搬送された光ディスク４１、４２をトレイ９から持ち上げて、クランパ１８との間に挟み込んで保持する。このとき、図１に示すようにディスクモータ７、８の中心７ｍ、８ｍと光ディスク４１、４２の中心４１ｍ、４２ｍとは一致する。そして、ディスクモータ７、８が駆動することにより、回転軸７ａ、８ａ、ターンテーブル１７、およびクランパ１８を介して、光ディスク４１、４２が回転する。ディスクモータ７、８により光ディスク４１、４２を回転させて、トラバース機構３により光ピックアップ１、２を光ディスク４１、４２の径方向Ｒへ移送させながら、光ピックアップ１、２により光ディスク４１、４２に対して情報の記録および／または再生が行われる。また、シャーシ２０が図２に実線で示す位置から二点鎖線で示す位置まで回動することで、ターンテーブル１７がクランパ１８から離れて遠ざかって行って、光ディスク４１、４２をそれぞれトレイ９上に載置する。
【００２６】
モータ調整機構１５は、ディスクモータ７のチルトと高さを調整するものであり、本発明における第２の調整機構の一実施形態を構成する。モータ調整機構１５、１６は、ディスクモータ７、８の中心７ｍ、８ｍの位置を光ディスク４１、４２と平行な面内で調整するものであり、本発明における第３の調整機構の一実施形態を構成する。図４は、モータ調整機構１５の一例を示す図であり、（ａ）に平面図を示し、（ｂ）に側面図を示している。図５は、モータ調整機構１６の一例を示す平面図であり、（ａ）に平面図を示し、（ｂ）に側面図を示している。
【００２７】
モータ調整機構１５の土台３１は、図４（ｂ）示すようにばね３５とねじ３６、３７を介してシャーシ２０上に支持されている。モータ調整機構１６の土台３２は、図５（ｂ）示すようにねじ４０を介してシャーシ２０上に固定されている。土台３１、３２上には、図４（ａ）および図５（ａ）に示すように筒部３１ａ、３２ａが設けられている。筒部３１ａ、３２ａには、ねじ穴３１ｂ、３２ｂが２つずつ形成されている。筒部３１ａ、３２ａの内面には、ばね３３が２つずつ取り付けられている。ねじ穴３１ｂ、３２ｂとばね３３は、光ディスク４１、４２の径方向Ｒまたは接線方向Ｔと平行に並ぶように対向している。ディスクモータ７、８はそれぞれ、筒部３１ａ、３２ａ内に挿入されて、土台３１、３２上に載置されている。
【００２８】
ばね３３は、ディスクモータ７、８の側面に設けられた窪み７ｂ、８ｂに係合していて、ディスクモータ７、８を対向するねじ穴３１ｂ、３２ｂ側へ押すような弾性力を発している。ねじ３４は、図４（ａ）および図５（ａ）に示すようにねじ穴３１ｂ、３２ｂに螺合されて、筒部３１ａ、３２ａを貫通している。ねじ３４の先端は、ディスクモータ７、８の側面に設けられた窪み７ｃ、８ｃに係合している。ディスクモータ７、８は、ばね３３とねじ３４により土台３１、３２上に保持されている。
【００２９】
各モータ調整機構１５、１６のねじ３４をドライバ等で締めたり緩めたりすることで、ねじ３４の筒部３１ａ、３２ａ内への突出量が変化し、ディスクモータ７、８が光ディスク４１、４２の径方向Ｒや接線方向Ｔへ移動して、中心７ｍ、８ｍの位置を光ディスク４１、４２と平行な面内で調整することができる。そしてこれにより、ディスクモータ７、８の中心７ｍ、８ｍを、光ピックアップ１、２の対物レンズ１Ｌ、２Ｌの光軸中心１ｍ、２ｍと光ディスク４１、４２の径方向Ｒへ並ぶように位置合わせすることができる。
【００３０】
土台３１の４隅上には、図４（ａ）に示すようにばね３５が設けられている。ばね３５は、図４（ｂ）に示すように両端部がシャーシ２０に固定された支持台３０と土台３１に係合していて、土台３１をシャーシ２０側へ押し付けるような弾性力を発している。ねじ３６は、シャーシ２０に形成されたねじ穴２０ｂに螺合されて、シャーシ２０を貫通していて、半球状の先端で土台３１の下面の中心を下方から支持している。ねじ３７は、図４（ａ）に示すように１２０°間隔で３つ設けられている。ねじ３７は、図４（ｂ）に示すようにシャーシ２０に形成されたねじ穴２０ｃに螺合されて、シャーシ２０を貫通していて、先端で土台３１の下面の３箇所を下方から支持している。ばね３８、３９は、ねじ３６、３７の頭部とシャーシ２０の間のねじ３６、３７の周囲にそれぞれ設けられていて、ねじ３６、３７の頭部をシャーシ２０から引き離すような弾性力を発している。
【００３１】
ねじ３６、３７をドライバ等で締めたり緩めたりすることで、ねじ３６、３７の先端のシャーシ２０上からの突出量が変化し、土台３１が上下に移動して、ディスクモータ７の光ピックアップ１、２に対する高さを調整することができる。また、各ねじ３７をドライバ等で締めたり緩めたりすることで、各ねじ３７の先端のシャーシ２０上からの突出量が変化し、土台３１がねじ３６との接触部分を支点として上下に傾いて、ディスクモータ７の光ピックアップ１、２に対するチルトを調整することができる。そしてこれにより、ディスクモータ７と光ピックアップ１、２とのチルトと高さ方向の距離を調整することができる。ディスクモータ８と光ピックアップ１、２とのチルトと高さ方向の距離は、シャフト調整機構１１〜１４により調整することができる。
【００３２】
図６は、光ディスク装置１０を調整するシステムの構成図である。光ディスク装置１０の製造段階において、後述する光ディスク装置１０の調整を行うために、光ディスク装置１０は調整装置５０とケーブル等により電気的に接続される。光ディスク装置１０には、上述した光ピックアップ１、２、ディスクモータ７、８、およびトラバースモータ６に加えて、各部を制御する制御部１９が備わっている。光ピックアップ１、２には、光源であるレーザダイオード（ＬＤ）１ａ、２ａとフォトディテクタ（ＰＤ）１ｂ、２ｂ等が備わっている。レーザダイオード１ａは、ＢＤまたはＨＤ
ＤＶＤに応じた青色のレーザビームを発射する。レーザダイオード２ａは、ＤＶＤに応じた赤色のレーザビームと、ＣＤに応じた赤外のレーザビームを発射する。レーザダイオード１ａ、２ａから発射されたレーザビームは、対物レンズ１Ｌ、２Ｌ（図１）により光ディスク４１、４２上に集光される。そして、光ディスク４１、４２で反射された光は、フォトディテクタ１ｂ、２ｂにより受光される。フォトディテクタ１ｂ、２ｂは、受光した光を光電変換し、フォーカシングエラー信号、トラッキングエラー信号、トラッキングエラー信号を検出するためのメインビームとサブビームの信号、および光ディスク４１、４２の再生信号等を検出して出力する。
【００３３】
調整装置５０は、オシロスコープまたはジッターメータ等の測定器と、パーソナルコンピュータ等の制御装置から構成されている。調整装置５０には、測定部５１、表示部５２、操作部５３、および制御部５４が備わっている。測定部５１は、光ピックアップ１、２のフォトディテクタ１ｂ、２ｂから出力される信号より、図７に示すようなサブビームの位相差と、再生信号のジッターとを測定する。表示部５２は、測定部５１で測定したサブビームの位相差、再生信号のジッター、および光ディスク装置１０に関する各種情報等を表示する。操作部５３は、光ディスク装置１０と調整装置５０の各部を操作するユーザインタフェイスから成る。制御部５４は、調整装置５０の各部を制御し、かつ制御部１９に対して光ディスク装置１０の各部を制御するための信号等を送信する。
【００３４】
図１０は、光ディスク装置１０の調整手順を示すフローチャートである。この調整は、光ディスク装置１０の製造段階において係員により行われる。先ず、シャフト調整機構１１〜１４によりガイドシャフト４とリードスクリュー５の高さを予め設定された基準高さ程度に粗調整する（ステップＳ１）。これにより、光ピックアップ１、２の光ディスク４２に対する高さも粗調整される。次に、調整装置５０の操作部５３を操作して、トラバース機構３により光ピックアップ１、２をディスクモータ８側へ移動させる（ステップＳ２）。次に、光ディスク４２をディスクモータ８に対応するターンテーブル１７とクランパ１８によりディスクモータ８上に取り付け（ステップＳ３）、ディスクモータ８を駆動して（ステップＳ４）、光ディスク４２を回転させる。
【００３５】
次に、光ピックアップ２を駆動して（ステップＳ５）、レーザダイオード２ａから対物レンズ２Ｌを介して光ディスク４２に対してレーザビームを発射し、光ディスク４２で反射した光をフォトディテクタ２ｂで受光して、フォトディテクタ２ｂからの出力信号を調整装置５０で受信する。そして、フォトディテクタ２ｂからの出力信号より、サブビームの位相差と再生信号のジッターとを測定部５１で検出して表示部５２に表示させる。
【００３６】
次に、サブビームの位相差と予め設定された基準値に基づいて、モータ調整機構１６によりディスクモータ８の中心８ｍの位置を調整する（ステップＳ６）。そして、ディスクモータ８の中心８ｍが光ピックアップ１、２の対物レンズ１Ｌ、２Ｌの光軸中心１ｍ、２ｍと光ディスク４２の径方向Ｒへ並ぶようになると、サブビームの位相差が基準値以内になるので（ステップＳ７：ＹＥＳ）、このときの状態でモータ調整機構１６による上記調整を終了する。具体的には、図８に示すようなサブビーム１、２の位相差を示すリサージュ図形を調整装置５０の表示部５２に表示させる。ディスクモータ８の中心８ｍが対物レンズ１Ｌ、２Ｌの光軸中心１ｍ、２ｍと、光ディスク４２の径方向Ｒへ一列に並んでいないときは、サブビームの位相差が０にならず、リサージュ図形が楕円形になり、光ディスク４２の径方向Ｒへ一列に並ぶと、サブビームの位相差が０になり、リサージュ図形が右上がりの直線になる。このため、表示部５２に表示されたリサージュ図形が右上がりの直線になるように、即ちサブビーム１、２の位相差が０になるように、モータ調整機構１６によりディスクモータ８の中心８ｍの位置の調整を行う。
【００３７】
次に、再生信号のジッターに基づいて、シャフト調整機構１１、１２によりガイドシャフト４とリードスクリュー５の光ディスク４２に対するチルトを調整する（ステップＳ８）。これにより、光ピックアップ１、２の光ディスク４２の径方向Ｒと接線方向Ｔに対するチルトも調整される。そして、ガイドシャフト４とリードスクリュー５のチルトを変化させて、図９に示すようなジッターのボトム（極値）を検出すると（図１０のステップＳ９：ＹＥＳ）、このときの状態でシャフト調整機構１１、１２による上記調整を終了する。
【００３８】
次に、再生信号のジッターに基づいて、シャフト調整機構１１、１３によりガイドシャフト４の光ディスク４２に対するチルトを調整する（ステップＳ１０）。これにより、光ピックアップ１、２の光ディスク４２の径方向Ｒに対するチルトも再調整される。そして、ガイドシャフト４のチルトを変化させて、ジッターのボトムを検出すると（ステップＳ１１：ＹＥＳ）、このときの状態でシャフト調整機構１１、１３による上記調整を終了する。
【００３９】
次に、再生信号のジッターに基づいて、シャフト調整機構１１〜１４によりガイドシャフト４とリードスクリュー５の光ディスク４２に対する高さを微調整する（ステップＳ１２）。これにより、光ピックアップ１、２の光ディスク４２に対する高さも微調整される。そして、ガイドシャフト４とリードスクリュー５の高さを変化させて、ジッターのボトムを検出すると（ステップＳ１３：ＹＥＳ）、このときの状態でシャフト調整機構１１〜１４による上記調整を終了する。
【００４０】
次に、ディスクモータ８の駆動を停止して（ステップＳ１４）、光ディスク４２の回転を停止し、光ディスク４２をターンテーブル１７とクランパ１８から取り外す（ステップＳ１５）。また、光ピックアップ２の駆動を停止して（ステップＳ１６）、レーザダイオード２ａからのレーザビームの発射と、フォトディテクタ２ｂによる光ディスク４２からの反射光の受光および信号出力を停止する。
【００４１】
次に、モータ調整機構１５によりディスクモータ７の高さを予め設定された基準高さ程度に粗調整する（ステップＳ１７）。これにより、光ディスク４１の光ピックアップ１、２に対する高さも粗調整される。次に、トラバース機構３により光ピックアップ１、２をディスクモータ７側へ移動させる（ステップＳ１８）。次に、光ディスク４１をディスクモータ７に対応するターンテーブル１７とクランパ１８によりディスクモータ７上に取り付け（ステップＳ１９）、ディスクモータ７を駆動して（ステップＳ２０）、光ディスク４１を回転させる。
【００４２】
次に、光ピックアップ１を駆動して（ステップＳ２１）、レーザダイオード１ａから対物レンズ１Ｌを介して光ディスク４１に対してレーザビームを発射し、光ディスク４１で反射した光をフォトディテクタ１ｂで受光して、フォトディテクタ１ｂからの出力信号を調整装置５０で受信する。そして、フォトディテクタ１ｂからの出力信号より、サブビームの位相差と再生信号のジッターとを測定部５１で検出して表示部５２に表示させる。
【００４３】
次に、サブビームの位相差と予め設定された基準値に基づいて、モータ調整機構１５によりディスクモータ７の中心７ｍの位置を調整する（ステップＳ２２）。そして、ディスクモータ７の中心７ｍが光ピックアップ１、２の対物レンズ１Ｌ、２Ｌの光軸中心１ｍ、２ｍと光ディスク４１の径方向Ｒへ並ぶようになると、サブビームの位相差が基準値以内になるので（ステップＳ２３：ＹＥＳ）、このときの状態でモータ調整機構１５による上記調整を終了する。具体的には、図８に示すようなサブビーム１、２の位相差を示すリサージュ図形を調整装置５０の表示部５２に表示させ、該リサージュ図形が右上がりの直線になるように、即ちサブビーム１、２の位相差が０になるように、モータ調整機構１６によりディスクモータ７の中心７ｍの位置の調整を行う。
【００４４】
次に、再生信号のジッターに基づいて、モータ調整機構１５によりディスクモータ７の光ピックアップ１、２に対するチルトを調整する（ステップＳ２４）。これにより、光ディスク４１の光ピックアップ１、２に対するチルトも調整される。そして、ディスクモータ７のチルトを変化させて、ジッターのボトムを検出すると（ステップＳ２５：ＹＥＳ）、このときの状態でモータ調整機構１５による上記調整を終了する。
【００４５】
次に、再生信号のジッターに基づいて、モータ調整機構１５によりディスクモータ７の光ピックアップ１、２に対する高さを微調整する（ステップＳ２６）。これにより、光ディスク４１の光ピックアップ１、２に対する高さも微調整される。そして、ディスクモータ７の高さを変化させて、ジッターのボトムを検出すると（ステップＳ２７：ＹＥＳ）、このときの状態でモータ調整機構１５による上記調整を終了する。
【００４６】
次に、ディスクモータ７の駆動を停止して（ステップＳ２８）、光ディスク４１の回転を停止し、光ディスク４１をターンテーブル１７とクランパ１８から取り外す（ステップＳ２９）。また、光ピックアップ１の駆動を停止して（ステップＳ３０）、レーザダイオード１ａからのレーザビームの発射と、フォトディテクタ１ｂによる光ディスク４１からの反射光の受光および信号出力を停止する。
【００４７】
以上によると、取り扱う全種類の光ディスク４１、４２に対応した１つの光ピックアップを新たに設計、開発、および製造する必要がなく、各光ディスク４１、４２に対応した既存の複数の光ピックアップ１、２を用いることができる。また、部品点数が少ない１つのトラバース機構３を共用して、複数の光ピックアップ１、２を各光ディスク４１、４２の径方向Ｒへ往復移送することができる。また、光ディスク装置１０の製造段階で、シャフト調整機構１１〜１４によりガイドシャフト４とリードスクリュー５のチルトと高さ、即ちガイドシャフト４とリードスクリュー５に支持された光ピックアップ１、２と光ディスク４１、４２とのチルトと高さ方向の距離を調整し、モータ調整機構１５によりディスクモータ７のチルトと高さ、即ちディスクモータ７と光ピックアップ１、２とのチルトと高さ方向の距離を調整することができる。さらに、シャフト調整機構１１〜１４により一方のディスクモータ８と光ピックアップ１、２とのチルトと高さ方向の距離を調整することができるので、他方のディスクモータ７のチルトと高さを調整するためのモータ調整機構１５を設けるだけでよく、ディスクモータ８のチルトと高さを調整するためだけの調整機構を省略することができる。このため、光ディスク装置１０において、コスト削減、光ディスク４１、４２に対する情報の記録や再生の処理の高信頼性確保、および起動時の信号処理の負担軽減を同時に図ることが可能となる。
【００４８】
また、モータ調整機構１５、１６によりディスクモータ７、８の中心７ｍ、８ｍと光ピックアップ１、２の対物レンズ１Ｌ、２Ｌの光軸中心１ｍ、２ｍとを、即ちディスクモータ７、８により回転させる光ディスク４１、４２の回転中心４１ｍ、４２ｍと対物レンズ１Ｌ、２Ｌの光軸中心１ｍ、２ｍとを、光ディスク４１、４２の径方向Ｒへ並ぶように位置合わせすることができる。このため、光ディスク４１、４２に対する情報の記録や再生の処理のより高い信頼性を確保することが可能となる。
【００４９】
また、シャフト調整機構１１〜１４によるガイドシャフト４とリードスクリュー５のチルトと高さの調整により、ディスクモータ８および光ディスク４２と光ピックアップ１、２とのチルトと高さ方向の距離を確実に調整してから、モータ調整機構１５によるディスクモータ７のチルトと高さの調整により、ディスクモータ７および光ディスク４１と光ピックアップ１、２とのチルトと高さ方向の距離を確実に調整することができる。このため、光ディスク４１、４２に対する情報の記録や再生の処理のより高い信頼性を確保することが可能となる。
【００５０】
また、モータ調整機構１６によるディスクモータ８の中心８ｍの位置調整により、ディスクモータ８の中心８ｍおよび光ディスク４２の回転中心４２ｍと、光ピックアップ１、２の対物レンズ１Ｌ、２Ｌの光軸中心１ｍ、２ｍとを光ディスク４１の径方向Ｒへ並ぶように位置合わせしてから、シャフト調整機構１１〜１４によるガイドシャフト４とリードスクリュー５のチルトと高さの調整により、ディスクモータ８および光ディスク４２と光ピックアップ１、２とのチルトと高さ方向の距離を調整することができる。またこの後、モータ調整機構１５によるディスクモータ７の中心７ｍの位置調整により、ディスクモータ７の中心７ｍおよび光ディスク４１の回転中心４１ｍと、光ピックアップ１、２の対物レンズ１Ｌ、２Ｌの光軸中心１ｍ、２ｍとを光ディスク４１の径方向Ｒへ並ぶように位置合わせしてから、モータ調整機構１５によるディスクモータ７のチルトと高さの調整により、ディスクモータ７および光ディスク４１と光ピックアップ１、２とのチルトと高さ方向の距離を調整することができる。このため、光ディスク４１、４２に対する情報の記録や再生の処理のより高い信頼性を確保することが可能となる。
【００５１】
さらに、サブビームの位相差に基づいてディスクモータ７、８の中心７ｍ、８ｍの位置調整を行い、再生信号のジッターに基づいてガイドシャフト４とリードスクリュー５とディスクモータ７のチルトと高さの調整を行うので、各ディスクモータ７、８の中心７ｍ、８ｍおよび各光ディスク４１、４２の回転中心４１ｍ、４２ｍと、光ピックアップ１、２の対物レンズ１Ｌ、２Ｌの光軸中心１ｍ、２ｍとの光ディスク４１、４２の径方向Ｒに並ぶ位置合わせと、各ディスクモータ７、８および各光ディスク４１、４２と各光ピックアップ１、２とのチルトと高さ方向の距離の調整とを有効に行うことができる。このため、光ディスク４１、４２に対する情報の記録や再生の処理のより一層高い信頼性を確保することが可能となる。
【００５２】
本発明は、以上の実施形態以外にも種々の形態を採用することができる。例えば、以上の実施形態では、光ピックアップ１、２とディスクモータ７、８をそれぞれ２つずつ用いた例を挙げたが、本発明はこれのみに限定するものではない。これ以外に、例えば光ピックアップとディスクモータとを取り扱う複数種類の光ディスクに対応させてそれぞれ３つ以上用いてもよい。この場合、先ずある１つのディスクモータの中心位置をモータ調整機構１６により調整し、次にその他のディスクモータの中心位置とチルトと高さをモータ調整機構１５により順次調整するようにすればよい。
【００５３】
また、以上の実施形態では、光ディスクを同時に１枚しか取り扱えない光ディスク装置１０に本発明を適用した例を挙げたが、本発明は、光ディスクを同時に２枚以上取り扱える光ディスク装置にも適用することが可能である。また本発明は、ＢＤ、ＨＤ
ＤＶＤ、ＤＶＤ、ＣＤ、またはこれら以外の光ディスクのうち、少なくとも２種類以上の光ディスクに対して情報の再生や記録が可能な光ディスク装置にも適用することが可能である。
【図面の簡単な説明】
【００５４】
【図１】光ディスク装置の要部の上方斜視図である。
【図２】光ディスク装置の要部の側面図である。
【図３】光ディスク装置のシャフト調整機構の一例を示す側面図である。
【図４】光ディスク装置のモータ調整機構の一例を示す図である。
【図５】光ディスク装置のモータ調整機構の一例を示す図である。
【図６】光ディスク装置の調整システムの構成図である。
【図７】サブビームの位相差を示す図である。
【図８】サブビームの位相差を示す図である。
【図９】再生信号のジッターのボトムを示す図である。
【図１０】光ディスク装置の調整手順を示すフローチャートである。
【符号の説明】
【００５５】
１、２  光ピックアップ
３  トラバース機構
４  ガイドシャフト
５  リードスクリュー
６  トラバースモータ
７、８  ディスクモータ
７ｍ、８ｍ  ディスクモータの中心位置
１０  光ディスク装置
１１〜１４  シャフト調整機構
１５、１６  モータ調整機構
４１、４２  光ディスク
Ｒ  光ディスクの径方向
Ｔ  光ディスクの接線方向
【図１】
2009004052.tif 000003
【図２】
2009004052.tif 000004
【図３】
2009004052.tif 000005
【図４】
2009004052.tif 000006
【図５】
2009004052.tif 000007
【図６】
2009004052.tif 000008
【図７】
2009004052.tif 000009
【図８】
2009004052.tif 000010
【図９】
2009004052.tif 000011
【図１０】
2009004052.tif 000012